(57)【要約】【課題】  アイテムの色付けに際し、マウス装置が不要である一方、ディスプレイ装置の画面上の色見本を用いてグラフィカルな操作を行うことができ、操作性に優れたキーボード装置を提供する。【解決手段】  第１、第２、第３の色付けキー１１、１２、１３と、カーソルキー３０ｄ、３０ｕ、３０ｌ、３０ｒと、エンターキー２０ａ、２０ｂとを備えている。第１、第２、第３の色付けキー１１、１２、１３は、文字を含むアイテムの入力を実行する通常モードと、アイテムへの色付けを実行する色付けモードとの切り替えを情報処理機器に指示するコード信号を押下操作によって出力する。カーソルキー３０ｄ、３０ｕ、３０ｌ、３０ｒは、色付けモード時に、移動操作されるマウス装置の距離エンコーダと同じコード信号を押下操作に応じて出力する。エンターキー２０ａ、２０ｂは、色付けモード時に、押下操作されるマウス装置の左クリックボタンと同じコード信号を押下操作によって出力する。【選択図】  図１
2011086116.tif 000002
【特許請求の範囲】
【請求項１】
複数のキーを備え、該複数のキーはそれぞれ、固有のコード信号を押下操作によって情報処理機器に出力するキーボード装置において、
前記複数のキーは、色付けキーと、カーソルキーと、エンターキーとを含み、
前記色付けキーは、文字を含むアイテムの入力を実行する通常モードと、アイテムへの色付けを実行する色付けモードとの切り替えを情報処理機器に指示するコード信号を押下操作によって出力し、
前記カーソルキーは、色付けモード時に、移動操作されるマウス装置の距離エンコーダと同じコード信号を押下操作に応じて出力し、
前記エンターキーは、色付けモード時に、押下操作されるマウス装置の左クリックボタンと同じコード信号を押下操作によって出力することを特徴とするキーボード装置。
【請求項２】
前記色付けキーは、通常モードと色付けモードとの切替のため専用に設けられている請求項１に記載のキーボード装置。
【請求項３】
前記複数のキーは、Ｆ１キー〜Ｆ１２キーをさらに含み、
前記色付けキーは、前記Ｆ１０キー〜前記Ｆ１２キーのいずれかと兼用である請求項１に記載のキーボード装置。
【請求項４】
前記複数のキーは、文字入力キーのための文字入力キーと、シフトキー、コントロールキー、オルタネーションキー、またはファンクションキーとをさらに含み、
前記色付けキーは、前記文字入力キーと兼用であり、
前記色付けキーのコード信号は、前記文字入力キーと、前記シフトキー、前記コントロールキー、前記オルタネーションキー、または前記ファンクションキーとの同時押下操作によって出力される請求項１に記載のキーボード装置。
【請求項５】
前記アイテムは、文字の他に、線と、文字および線の背景とを含み、
前記色付けキーは、前記アイテムそれぞれに対して設けられる請求項１乃至４のいずれか一項に記載のキーボード装置。
【請求項６】
色付けが施された前記アイテムを含む文書ファイルを作成する情報処理機器と、ユーザとの間に介在し、情報の入出力を行うユーザーインターフェース装置において、
請求項１乃至５のいずれか一項に記載のキーボード装置と、
情報処理機器から入力される信号に応じて画面上に、前記アイテム、マウスポインタ、ならびに色を表す色アイコンが複数並列されてなる色見本を表示可能なディスプレイ装置とを有し、
前記ユーザーインターフェース装置は、前記アイテムへの色付けの際に以下のステップにしたがって動作する：
・前記キーボード装置の前記色付けキーの押下操作に基づき、通常モードから色付けモードに切り替え、
・色付けモードとなったときに、前記ディスプレイ装置の画面上にて前記色見本を配置し、
・前記キーボード装置の前記カーソルキーの押下操作に応じて、前記ディスプレイ装置の画面上にて前記色見本の所望の色アイコンまで前記マウスポインタを移動し、
・前記キーボード装置の前記エンターキーの押下操作に基づき、前記マウスポインタが指し示す色アイコンに対応した色に色付け色を決定し、
・前記キーボード装置の前記カーソルキーの押下操作に応じて、前記ディスプレイ装置の画面上にて前記アイテムの色付け開始位置まで前記マウスポインタを移動し、
・前記キーボード装置の前記エンターキーの押下操作に基づき、前記マウスポインタが指し示す色付け開始位置に決定する、
前記キーボード装置の前記カーソルキーの押下操作に応じて、前記ディスプレイ装置の画面上にて前記アイテムの色付け終了位置まで前記マウスポインタを移動し、
・前記キーボード装置の前記エンターキーの押下操作に基づき、前記マウスポインタが指し示す色付け終了位置に決定して前記アイテムに色付けを施し、
・前記キーボード装置の前記色付けキーの押下操作に基づき、色付けモードから通常モードに切り替える、
ことを特徴とするユーザーインターフェース装置。
【請求項７】
記憶手段と、演算手段とを有し、演算手段は、記憶手段に記憶されたＢＩＯＳ、オペレーションシステム、および文書ファイルを作成するためのアプリケーションプログラムにしたがい、色付けが施された前記アイテムを含む文書ファイルを作成する情報処理機器において、
請求項６に記載のユーザーインターフェース装置を有することを特徴とする情報処理機器。
【発明の詳細な説明】
【技術分野】
【０００１】
本発明は、パーソナルコンピュータ等の情報処理機器とユーザとの間に介在して情報の入出力を行うユーザーインターフェース装置に関し、特に、押下（打鍵）操作によってそれぞれに固有のコード信号を情報処理機器に出力する複数のキーを備えたキーボード装置に関する。
【背景技術】
【０００２】
一般に、パーソナルコンピュータ等の情報処理機器には、ユーザーインターフェース（ＵＩ：User Interface）装置として、情報入力デバイスであるキーボード装置、マウス装置や、情報出力デバイスであるディスプレイ装置、プリンタ装置などが適用される。
【０００３】
ここで、例えばマイクロソフト社のワード、エクセル、パワーポイント（いずれも、商標または登録商標）等の文書や表の作成アプリケーションを適用したパーソナルコンピュータを用いてプレゼンテーション文書等を作成する場合、ユーザは、主に、ディスプレイ装置の画面上に表示された原稿シート（ソフトウエアによる原稿シート）を見ながら、キーボード装置のキーを押下して文字入力する。
【０００４】
ユーザはまた、文字入力よりも頻度は低いものの、画面上に表示された各色を表す色アイコンが複数並列されてなる色見本（ソフトウエアによる色見本、パレット）を見ながら、マウス装置を操作してマウスポインタを所望の色を表す色アイコン上まで移動させ、そこでクリック操作して所望の色に決定し、文字、線、文字や線の背景といったアイテム（キャラクタ）に所望の色で色付けする。
【０００５】
このように、ディスプレイ装置の画面上に表示された色見本を用いたアイテムへの色付けは、ユーザにとってあたかも本物の色見本から所望の色を選ぶ感覚のグラフィカルな操作が可能であるため、操作性に優れている。その反面、マウスポインタを色見本上で移動させる際にキーボード装置から一旦右手を離してマウス装置に持ち替える必要があるため、ユーザにとって煩わしい作業であり、操作性に劣るともいえる。
【０００６】
これに対し、マウス装置を用いずに、キーボード装置のみを用いてアイテムに色付けする技術が、特許文献１〜３に開示されている。
【０００７】
特許文献１には、キーボード装置における特定のキーに例えば赤色といった色情報を予め割り当てておき、このキーとシフトキーとの同時操作により、このキーが示す色で文字に色付けをするようにした技術が開示されている。
【０００８】
特許文献２には、色情報と、この色情報に一義的に対応する文字列との対応関係を色情報辞書として記憶しておき、キーボード装置を用いて文字列を入力することにより、色情報辞書を参照して、文字列に対応した色情報を抽出するようにした技術が開示されている。
【０００９】
特許文献３には、キーボード装置における６個のキーに、色相の増減、彩度の増減、明度の増減を示す指令情報をそれぞれ割り当てておき、マウスポインタによって指定された指定箇所について、色相、彩度、明度それぞれを６個のキーの操作によって微調整するようにした技術が開示されている。
【先行技術文献】
【特許文献】
【００１０】
【特許文献１】特開平０５−０８９１２号公報
【特許文献２】特開平０４−３４８４８１号公報
【特許文献３】特開平０４−２４５３８７号公報
【発明の概要】
【発明が解決しようとする課題】
【００１１】
特許文献１〜３に開示されたものも含め、関連技術によるキーボード装置は、アイテムへの色付けに際してマウス装置が不要であってキーボード装置からマウス装置への持ち替えは不要であって、その点の操作性には優れている。
【００１２】
しかし、関連技術によるキーボード装置は、ディスプレイ装置の画面上に表示された色見本を見ながらのグラフィカルな操作を行うことができない点では、操作性に劣っている。
【００１３】
それ故、本発明の課題は、アイテムへの色付けに際し、マウス装置が不要である一方、ディスプレイ装置の画面上の色見本を用いてグラフィカルな操作を行うことができ、操作性に優れたキーボード装置を提供することにある。
【課題を解決するための手段】
【００１４】
本発明によれば、複数のキーを備え、該複数のキーはそれぞれ、固有のコード信号を押下操作によって情報処理機器に出力するキーボード装置において、前記複数のキーは、色付けキーと、カーソルキーと、エンターキーとを含み、前記色付けキーは、文字を含むアイテムの入力を実行する通常モードと、アイテムへの色付けを実行する色付けモードとの切り替えを情報処理機器に指示するコード信号を押下操作によって出力し、前記カーソルキーは、色付けモード時に、移動操作されるマウス装置の距離エンコーダと同じコード信号を押下操作に応じて出力し、前記エンターキーは、色付けモード時に、押下操作されるマウス装置の左クリックボタンと同じコード信号を押下操作によって出力することを特徴とするキーボード装置が得られる。
【００１５】
前記色付けキーは、通常モードと色付けモードとの切替のため専用に設けられていてもよい。または、前記複数のキーは、Ｆ１キー〜Ｆ１２キーをさらに含み、前記色付けキーは、前記Ｆ１０キー〜前記Ｆ１２キーのいずれかと兼用であってもよい。あるいは、前記複数のキーは、文字入力キーのための文字入力キーと、シフトキー、コントロールキー、オルタネーションキー、またはファンクションキーとをさらに含み、前記色付けキーは、前記文字入力キーと兼用であり、前記色付けキーのコード信号は、前記文字入力キーと、前記シフトキー、前記コントロールキー、前記オルタネーションキー、または前記ファンクションキーとの同時押下操作によって出力されるものであってもよい。
【００１６】
前記アイテムは、文字の他に、線と、文字および線の背景とを含み、前記色付けキーは、前記アイテムそれぞれに対して設けられてもよい。
【００１７】
また、本発明によれば、色付けが施された前記アイテムを含む文書ファイルを作成する情報処理機器と、ユーザとの間に介在し、情報の入出力を行うユーザーインターフェース装置において、前記キーボード装置と、情報処理機器から入力される信号に応じて画面上に、前記アイテム、マウスポインタ、ならびに色を表す色アイコンが複数並列されてなる色見本を表示可能なディスプレイ装置とを有し、前記ユーザーインターフェース装置は、前記アイテムへの色付けの際に以下のステップにしたがって動作する：
・前記キーボード装置の前記色付けキーの押下操作に基づき、通常モードから色付けモードに切り替え、
・色付けモードとなったときに、前記ディスプレイ装置の画面上にて前記色見本を配置し、
・前記キーボード装置の前記カーソルキーの押下操作に応じて、前記ディスプレイ装置の画面上にて前記色見本の所望の色アイコンまで前記マウスポインタを移動し、
・前記キーボード装置の前記エンターキーの押下操作に基づき、前記マウスポインタが指し示す色アイコンに対応した色に色付け色を決定し、
・前記キーボード装置の前記カーソルキーの押下操作に応じて、前記ディスプレイ装置の画面上にて前記アイテムの色付け開始位置まで前記マウスポインタを移動し、
・前記キーボード装置の前記エンターキーの押下操作に基づき、前記マウスポインタが指し示す色付け開始位置に決定し、
前記キーボード装置の前記カーソルキーの押下操作に応じて、前記ディスプレイ装置の画面上にて前記アイテムの色付け終了位置まで前記マウスポインタを移動し、
・前記キーボード装置の前記エンターキーの押下操作に基づき、前記マウスポインタが指し示す色付け終了位置に決定して前記アイテムに色付けを施し、
・前記キーボード装置の前記色付けキーの押下操作に基づき、色付けモードから通常モードに切り替える、ことを特徴とするユーザーインターフェース装置が得られる。
【００１８】
さらに、本発明によれば、記憶手段と、演算手段とを有し、演算手段は、記憶手段に記憶されたＢＩＯＳ、オペレーションシステム、および文書ファイルを作成するためのアプリケーションプログラムにしたがい、色付けが施された前記アイテムを含む文書ファイルを作成する情報処理機器において、前記ユーザーインターフェース装置を有することを特徴とする情報処理機器が得られる。
【発明の効果】
【００１９】
本発明によるキーボード装置は、アイテムの色付けに際し、マウス装置が不要である一方、ディスプレイ装置の画面上の色見本を用いてグラフィカルな操作を行うことができ、操作性に優れている。
【図面の簡単な説明】
【００２０】
【図１】本発明の実施例１によるキーボード装置を示す図である。
【図２】図１に示されたキーボード装置の色付けキーを示す図である。
【図３】図１に示されたキーボード装置の動作を説明するためのフロー図である。
【図４】図１に示されたキーボード装置の動作を説明するためにディスプレイ装置の画面を示す図である。
【図５】本発明の実施例２によるキーボード装置を示す図である。
【図６】図５に示されたキーボード装置の動作を説明するための概念図である。
【発明を実施するための形態】
【００２１】
本発明によるキーボード装置は、情報処理機器とユーザとの間に介在して情報の入出力を行うユーザーインターフェース装置の一つであり、それぞれ固有のコード信号を押下操作によって情報処理機器に出力する複数のキーを備えている。
【００２２】
ここで、情報処理機器は、記憶手段と、演算手段とを有し、演算手段は、記憶手段に記憶されたプログラムにしたがい、色付けが施された文字等のアイテムを含む文書ファイルを作成するものであり、ユーザーインターフェース装置として、キーボード装置の他に、ディスプレイ装置が接続されており、また、マウス装置をも利用可能なものである。
【００２３】
特に、本キーボード装置において、複数のキーは、色付けキーと、カーソルキーと、エンターキーとを含んでいる。
【００２４】
色付けキーは、通常モードと色付けモードとの切り替えを情報処理機器に指示するコード信号を、押下操作によって出力する。通常モードは、文字を含むアイテムの入力を実行するモードである。一方、色付けモードは、アイテムへの色付けを実行するモードである。
【００２５】
カーソルキーは、色付けモード時に、移動操作されるマウス装置の距離エンコーダと同じコード信号を、押下操作に応じて出力する。
【００２６】
エンターキーは、色付けモード時に、押下操作されるマウス装置の左クリックボタンと同じコード信号を、押下操作によって出力する。
【００２７】
本キーボード装置は、上記構成により、アイテムの色付けに際し、マウス装置が不要である一方、ディスプレイ装置の画面上の色見本を用いてグラフィカルな操作を行うことができ、操作性に優れている。
【００２８】
即ち、本キーボード装置は、アイテムへの色付けに際してマウス装置が不要であってキーボード装置からマウス装置への持ち替えは不要であって、操作性に優れており、短時間での文書ファイル作成を可能にする一方、ユーザが従前のマウス装置を使用するのと同等の感覚で違和感なく、ディスプレイ装置の画面上に表示された色見本を見ながらのグラフィカルな操作を可能としている。
【００２９】
尚、本キーボード装置は、通常モードと色付けモードとを切り替えるための色付けキーが追加されるのみであり、ＪＩＳ規格等で定められた標準キーボード装置を同じかほぼ同等のサイズである。
【００３０】
また、アイテムへの色付けに際し、ユーザは、本キーボード装置ではなく、従前どおりにマウス装置を使用することも可能である。
【実施例】
【００３１】
以下、図面を参照して、本発明によるキーボード装置のより具体的な実施例を説明する。
【００３２】
［実施例１］
図１を参照すると、本発明の実施例１によるキーボード装置は、関連技術と同様に、情報処理機器としての例えばパーソナルコンピュータ（図示せず）とユーザとの間に介在して情報の入出力を行うユーザーインターフェース装置の一つであり、それぞれ固有のコード信号を押下操作によってパーソナルコンピュータに出力する複数のキーを備えている。本キーボード装置は、後述する色付けキー以外は、ＪＩＳ標準１０９件日本語キーボードである。
【００３３】
ここで、パーソナルコンピュータは、記憶手段としてのＲＯＭ、ＲＡＭ、およびハードディスクドライブ等と、演算手段としてのＣＰＵとを有している。ＣＰＵは、記憶手段に記憶されたＢＩＯＳ（Basic Input and Output System）、オペレーションシステム（OS: Operation System）、および文書ファイルを作成するためのアプリケーションプログラムとしての例えばマイクロソフト社のワードにしたがい、色付けが施された文字や線等のアイテムを含む文書ファイルを作成するものである。また、パーソナルコンピュータは、ユーザーインターフェース装置として、情報入力デバイスであるキーボード装置の他に、情報出力デバイスであるディスプレイ装置が接続されており、さらに、情報入力デバイスであるマウス装置をも利用可能なように、ハードウエア的にも、ソフトウエア的にも設定されている。
【００３４】
特に、本キーボード装置において、複数のキーは、第１、第２、第３の色付けキー１１、１２、１３と、下向き、上向き、左向き、右向きのカーソルキー３０ｄ、３０ｕ、３０ｌ、３０ｒと、エンターキー２０ａ、２０ｂとを含んでいる。カーソルキー３０ｄ、３０ｕ、３０ｌ、３０ｒと、エンターキー２０ａ、２０ｂとは、ＪＩＳ標準１０９件日本語キーボードどおりのものである。
【００３５】
図２に示されるように、第１、第２、第３の色付けキー１１、１２、１３は、通常モードと色付けモードとの切替のため専用に設けられており、通常モードと、色付けモードとの切り替えを情報処理機器に指示するための本発明に独自のコード信号を、押下操作によって出力する。通常モードは、文字を含むアイテムの入力を実行するモードである。一方、色付けモードは、アイテムへの色付けを実行するモードである。尚、第１、第２、および第３の色付けキー１１、１２、１３は、それぞれアイテムとしての文字、線、および文字や線の背景についてのモード切替のために設けられている。
【００３６】
カーソルキー３０ｄ、３０ｕ、３０ｌ、３０ｒは、通常モード時は、ディスプレイ装置に表示されるカーソルプロンプトを移動指令するコード信号を、押下操作に応じて出力する一方、色付けモード時は、移動操作されるマウス装置（図示せず）の距離エンコーダ（機械的なロータリーエンコーダや、光学式エンコーダ）と同じコード信号を、押下操作に応じて出力する。
【００３７】
エンターキー２０ａ、２０ｂは、通常モード時は、各種プログラムにしたがって実行されるイベント項目の決定を表すコード信号を、押下操作によって出力する一方、色付けモード時は、押下操作されるマウス装置の左クリックボタンと同じコード信号を押下操作によって出力する。
【００３８】
さて、第１、第２、第３の色付けキー１１、１２、１３に割り当てられている特定のコードは、検出し、以下の動作する特殊アプリケーションにしたがって動作するパーソナルコンピュータのＣＰＵによって検出される。この特殊アプリケーションプログラムは、例えば、予め光学式メディア等に収録され、本キーボード装置の販売時に同梱され、ユーザがパーソナルコンピュータのハードディスクドライブ等にインストールすることにより、パーソナルコンピュータのＣＰＵによって実行される。この特殊アプリケーションプログラムは、色付けが施された文字、線、および文字や線の背景といったアイテムを含む文書ファイルを作成するためのマイクロソフト社のワード等のアプリケーションプログラムに連携して、パーソナルコンピュータのＣＰＵ動作を実行させる。
【００３９】
第１、第２、第３の色付けキー１１、１２、１３の押下状態は、特殊アプリケーションにしたがって動作するパーソナルコンピュータによって監視される。第１、第２、第３の色付けキー１１、１２、１３の押下が検出されると、色付けモードに入り、キーボード装置のカーソルキー３０ｄ、３０ｕ、３０ｌ、３０ｒにポインティングデバイスであるマウス装置の座標移動機能が割り当てられ、ディスプレイ装置の画面上のマウスポインタの移動が可能となる。また、エンターキー２０ａ、２０ｂには、マウス装置の左クリックボタンの押下機能が割り当てられ、決定機能が可能となる。この後、再び第１、第２、第３の色付けキー１１、１２、１３の押下が検出されると、通常モードに入る。
【００４０】
このようにして、マウス操作無しで、キーボード装置操作単独で色情報の入力が可能となる。
【００４１】
本実施例によるユーザーインターフェース装置は、色付けが施された文字、線、および文字や線の背景といったアイテムを含む文書ファイルを作成するパーソナルコンピュータとユーザとの間に介在し、情報の入出力を行うものであり、図１に示されたキーボード装置と、情報処理機器から入力される信号に応じて画面上に、アイテム、マウスポインタ、ならびに色を表す色アイコンが複数並列されてなる色見本を表示可能なディスプレイ装置（図示せず）とを有している。
【００４２】
以下、図１および図２に、図３のフロー図、図４のディスプレイ装置の画面を示す図を併せ参照して、本ユーザーインターフェース装置の動作を説明する。
【００４３】
本ユーザーインターフェース装置は、アイテムへの色付けの際に、以下のステップにしたがって動作する。
【００４４】
いま、パーソナルコンピュータは、文書ファイルを作成するアプリケーションプログラムであるワードの実行中であり、ディスプレイ装置の画面上には、ワードのウィンドゥが表示され、キーボード装置は、通常モードであり、文字入力用のキー、カーソルキー３０ｄ、３０ｕ、３０ｌ、３０ｒ、エンターキー２０ａ、２０ｂなどがユーザによって押下され、文字列「イロハ」が入力される。この時点では、文字列「イロハ」は標準色の黒色、その３文字分の背景は、ソフトウエア的な原稿シートと同じ白色である。
【００４５】
この文字列「イロハ」を赤色に色付けする場合、キーボード装置の第１の色付けキー１１が押下されると、通常モードから色付けモードに切り替えられる（ステップＳ０）。
【００４６】
色付けモードとなったときに、ディスプレイ装置の画面上には、図４に示されるように色見本ＣＳが配置される（ステップＳ１）。
【００４７】
次に、キーボード装置のカーソルキー３０ｄ、３０ｕ、３０ｌ、３０ｒの押下操作に応じて、ディスプレイ装置の画面上にて色見本ＣＳ中の所望の色アイコンまでマウスポインタを移動する（ステップＳ２、Ｓ３）。
【００４８】
キーボード装置のエンターキー２０ａ、２０ｂの押下操作に基づき、マウスポインタが指し示す色アイコンに対応した色に色付け色を「赤色」決定する（ステップＳ４、Ｓ５）。
【００４９】
キーボード装置のカーソルキー３０ｄ、３０ｕ、３０ｌ、３０ｒの押下操作に応じて、ディスプレイ装置の画面上にて文字列「イロハ」の色付け開始位置である文字「イ」までマウスポインタを移動する（ステップＳ８）。
【００５０】
キーボード装置のエンターキー２０ａ、２０ｂの押下操作に基づき、マウスポインタが指し示す色付け開始位置を文字「イ」に決定する（ステップＳ９）。
【００５１】
キーボード装置のカーソルキー３０ｄ、３０ｕ、３０ｌ、３０ｒの押下操作に応じて、ディスプレイ装置の画面上にて文字列「イロハ」の色付け終了位置である文字「ハ」までマウスポインタを移動する（ステップＳ１０、Ｓ１１）。
【００５２】
キーボード装置のエンターキー２０ａ、２０ｂの押下操作に基づき、マウスポインタが指し示す色付け終了位置を文字「ハ」に決定する（ステップＳ１２、Ｓ１３）。
【００５３】
キーボード装置の第１の色付けキー１１の押下操作に基づき、文字列「イロハ」に赤色で色付けを施してから、色付けモードから通常モードに切り替える（ステップＳ１４、Ｓ１５）。
【００５４】
以上のようにして、マウス装置を用いずに、アイテムである文字列「イロハ」に、赤色で色付けがされた。
【００５５】
［実施例２］
本発明の実施例２は、色付けキーが、一般的なキーボード装置に通常備えられているけれども、使用される機会が少ないであろう準ブランクキーと兼用することにより、色付けキーを物理的に増やさない点で、実施例１と異なる。このため、実施例１と同一または同様の部分については、詳細な説明を省略する。
【００５６】
図５を参照すると、本発明の実施例２によるキーボード装置は、Ｆ１０キー６１、Ｆ１１キー６２、Ｆ１２キー６３を備えている。
【００５７】
本キーボード装置において、通常モードと色付けモードとの切り替える色付けキーは、Ｆ１０キー６１、Ｆ１１キー６２、Ｆ１２キー６３と兼用される。Ｆ１０キー６１、Ｆ１１キー６２、およびＦ１２キー６３は、それぞれアイテムとしての文字、線、および文字や線の背景についてのモード切替のために用いられる。
【００５８】
図６を参照すると、Ｆ１０キー６１、Ｆ１１キー６２、Ｆ１２キー６３への文字、線、および文字や線の背景についてのモード切替への指令コードの割り当て（読み替え）は、さらなる特殊アプリケーションを使用し、このさらなる特殊アプリケーションにしたがい、パーソナルコンピュータは割り当てを実行する。
【００５９】
そして、Ｆ１０キー６１、Ｆ１１キー６２、Ｆ１２キー６３の押下状態は、特殊アプリケーションにしたがって動作するパーソナルコンピュータによって監視される。Ｆ１０キー６１、Ｆ１１キー６２、Ｆ１２キー６３の押下が検出されると、色付けモードに入り、キーボード装置のカーソルキー３０ｄ、３０ｕ、３０ｌ、３０ｒにポインティングデバイスであるマウス装置の座標移動機能が割り当てられ、ディスプレイ装置の画面上のマウスポインタの移動が可能となる。また、「エンターキー２０ａ、２０ｂには、マウス装置の左クリックボタンの押下機能が割り当てられ、決定機能が可能となる。この後、再びＦ１０キー６１、Ｆ１１キー６２、Ｆ１２キー６３の押下が検出されると、通常モードに入る。
【００６０】
［実施例３］
本発明の実施例３は、色付けキーが、一般的なキーボード装置に通常備えられる文字入力キーと兼用されている点で、実施例１と異なる。このため、実施例１と同一または同様の部分については、詳細な説明を省略する。
【００６１】
図示はしないが、本発明の実施例３によるキーボード装置は、文字入力キーのための文字入力キーと、シフトキー、コントロール（Ｃｔｌ）キー、オルタネーション（Ａｌｔ）キー、またはファンクション（Ｆｎ）キーとを備えている。
【００６２】
本キーボード装置において、通常モードと色付けモードとの切り替える色付けキーは、３個の文字入力キーと兼用される。３個の文字入力キーは、それぞれアイテムとしての文字、線、および文字や線の背景についてのモード切替のために用いられる。
【００６３】
ただし、文字、線、および文字や線の背景についてのモード切替を指令するコード信号は、文字入力キーと、シフトキー、コントロールキー、オルタネーションキー、またはファンクションキーとの同時押下操作によって初めて出力される。
【産業上の利用可能性】
【００６４】
以上、本発明の実施例について説明してきたが、本発明はこれら実施例に限定されるもためはなく、本願特許請求の範囲に記載された技術範囲内であれば、種々の変形が可能であることは云うまでもない。
【符号の説明】
【００６５】
１１    第１の色付けキー
１２    第２の色付けキー
１３    第３の色付けキー
３０ｄ、３０ｕ、３０ｌ、３０ｒ  カーソルキー
２０ａ、２０ｂ  エンターキー
６１    Ｆ１０キー
６２    Ｆ１１キー
６３    Ｆ１２キー
ＣＳ    色見本
【図１】
2011086116.tif 000003
【図２】
2011086116.tif 000004
【図３】
2011086116.tif 000005
【図４】
2011086116.tif 000006
【図５】
2011086116.tif 000007
【図６】
2011086116.tif 000008